(57)【特許請求の範囲】
【請求項１】
被写体を撮影するカメラシステムであって、
前記被写体の光学像を形成する撮像光学系と、
シャッターの開閉により露光時間が制御され、前記光学像を画像信号に変換し前記被写体の画像を取得する撮像部と、
前記画像信号を記録する画像記録部と、
前記撮像光学系から前記撮像部までの光路中に置かれた第１状態と前記光路から退避した第２状態とを有する可動式の反射ミラーと、
前記反射ミラーを駆動するミラー駆動部と、
前記絞り値を入力可能な絞り値入力部と、
前記撮像光学系の絞り値を調節可能な絞り調節部と、
前記画像を表示する表示部と、
前記絞り値に応じて前記表示部に表示される前記画像の明るさを調節する画像調節部と、
絞り込みモードのセットを受け付けるプレビュー操作部と、
を備え、
前記プレビュー操作により受け付けられた絞り込みモードにおいては、前記ミラー駆動部は前記反射ミラーを前記第２の状態へ移動させ且つ前記シャッターは開いた状態において、実時間画像である前記画像を前記表示部に表示させながら、（ｉ）前記撮像光学系の絞り値を撮影者の操作により入力された絞り値に調節し、（ｉｉ）前記画像調節部は、前記絞り値を大きくする場合には、前記絞り値に応じて暗くなる前記表示部に表示される前記画像を明るくするよう調整することを特徴とする、
カメラシステム。
【請求項２】
前記絞り込みモードにおいて前記表示部に前記画像が表示される際、前記画像調節部は、前記絞り値に応じて前記画像信号を増幅する、
請求項１に記載のカメラシステム。
【請求項３】
前記画像調節部は、前記絞り値と前記画像信号の増幅率との関係についての情報に基づいて前記画像信号を増幅する、
請求項２に記載のカメラシステム。
【請求項４】
前記絞り込みモードにおいて、前記表示部は、予め設定された基準絞り値にて取得された基準画像と、前記絞り値入力部において設定された設定絞り値にて取得された比較画像と、を並べて表示可能である、
請求項１に記載のカメラシステム。
【請求項５】
前記絞り込みモードにおいて、前記表示部は、予め設定された基準絞り値にて取得された基準画像と、前記絞り値入力部において設定された設定絞り値にて取得された比較画像と、を並べて表示可能であり、
前記基準画像が取得された際の絞り値と前記比較画像が取得された際の絞り値とが異なる場合、前記画像調節部は、前記基準画像に対する画像信号の増幅率と前記比較画像に対する画像信号の増幅率とを異ならせる、
請求項１に記載のカメラシステム。
【請求項６】
外部から情報を入力可能な操作部と、
前記画像を記録する画像記録部と、をさらに備え、
前記基準画像および比較画像は、前記操作部から入力された情報に基づいて、前記画像記録部に記録される、
請求項４に記載のカメラシステム。
【発明の詳細な説明】
【技術分野】
【０００１】
本発明は、カメラシステム、特に絞り値変更機能を有するデジタルカメラに用いられるカメラシステムに関する。
【背景技術】
【０００２】
近年、一眼レフデジタルカメラが急速に普及している。この一眼レフデジタルカメラでは、光学ファインダを用いて被写体を観察する場合、撮像光学系に入射した光（すなわち被写体像）が光路上に配置された反射ミラーにより反射され、ファインダ光学系に導かれる。この結果、ペンタプリズム等を介して被写体像が正立像に変換され、光学ファインダに導かれる。これにより、撮影者は撮像光学系により形成された被写体像を光学ファインダから観察することができる。
一方、撮像光学系を撮影用として使用する場合は、反射ミラーが撮影用光路から待避する。この結果、ファインダ用光路が撮影用光路に切り換えられ、撮影が終了すると反射ミラーは定位置に瞬時に戻る。この方式は、一眼レフ方式であれば、従来の銀塩カメラでも、デジタルカメラでも同様である。
【０００３】
しかし、光学ファインダを用いての撮影は、デジタルカメラの撮影に不慣れな初心者にとっては、非常に使いにくい。
そこで、撮影時に液晶モニタにより被写体を観察できるモニタ撮影モードを有するカメラシステムが提案されている（例えば、特許文献１を参照）。
【先行技術文献】
【特許文献】
【０００４】
【特許文献１】特開２００１−１２５１７３号公報
【発明の概要】
【発明が解決しようとする課題】
【０００５】
一般的に、この種のカメラシステムは、絞り値変更機能を有している。モニタ撮影モードの場合、設定された絞り値にて順次撮影された実時間画像が表示装置に表示される。このため、表示装置を介して、絞り値に応じて変化する被写界深度の確認を行うことができる。
しかし、一般的に、絞り値が大きくなると撮像センサに入射する光の量が少なくなり、表示装置に表示される画像が暗くなる。この結果、絞り値によっては被写界深度の確認が困難な場合もある。
本発明の課題は、絞り値変更機能を有するカメラシステムにおいて、被写界深度の確認をする際の利便性を高めることにある。
【課題を解決するための手段】
【０００６】
第１の発明に係るカメラシステムは、被写体を撮影するカメラシステムであって、撮像光学系と、撮像部と、可動式の反射ミラーと、ミラー駆動部と、絞り値入力部と、絞り調節部と、表示部と、プレビュー操作部と、制御部と、を備えている。撮像光学系は被写体の光学像を形成する。撮像部は、光学像を画像信号に変換し、被写体の画像を取得する。反射ミラーは撮像光学系から前記撮像部までの光路中に置かれた第１状態と前記光路から退避した第２状態とを有する。ミラー駆動部は反射ミラーを駆動する。絞り値入力部は絞り値を入力可能である。絞り調節部は撮像光学系の絞り値を調節可能である。表示部は画像を表示する。プレビュー操作部は絞り込みモードのセットを受け付ける。制御部は、絞り込みモードに移行すると、撮像光学系の絞り値を入力された絞り値に調節するように絞り調節部を制御し、画像を取得するように撮像部を制御し、取得された画像を表示するように表示部を制御可能である。
【０００７】
第２の発明に係るカメラシステムは、第１の発明に係るカメラシステムにおいて、絞り込みモードにおいて表示部に表示される画像は、実時間画像である。
第３の発明に係るカメラシステムは、第１の発明に係るカメラシステムにおいて、絞り値に応じて表示部に表示される画像の明るさを調節する画像調節部をさらに備えている。
第４の発明に係るカメラシステムは、第３の発明に係るカメラシステムにおいて、絞り込みモードにおいて表示部に画像が表示される際、画像調節部が絞り値に応じて画像信号を増幅する。
第５の発明に係るカメラシステムは、第４の発明に係るカメラシステムにおいて、画像調節部が絞り値と画像信号の増幅率との関係についての情報に基づいて画像信号を増幅する。
【０００８】
第６の発明に係るカメラシステムは、第１の発明に係るカメラシステムにおいて、表示部は第１操作情報に基づいて、基準画像と比較画像とを並べて表示可能である。基準画像は、予め設定された基準絞り値にて取得された画像である。比較画像は、絞り値入力部において設定された設定絞り値にて取得された画像である。
第７の発明に係るカメラシステムは、第３の発明に係るカメラシステムにおいて、表示部は第１操作情報に基づいて、基準画像と比較画像とを並べて表示可能である。基準画像は、予め設定された基準絞り値にて取得された画像である。比較画像は、絞り値入力部において設定された設定絞り値にて取得された画像である。基準画像が取得された際の絞り値と比較画像が取得された際の絞り値とが異なる場合、画像調節部は、基準画像に対する画像信号の増幅率と比較画像に対する画像信号の増幅率とを異ならせる。
【０００９】
第８の発明に係るカメラシステムは、第６の発明に係るカメラシステムにおいて、外部から情報を入力可能な操作部と、画像を記録する画像記録部と、をさらに備えている。基準画像および比較画像は、操作部から入力された情報に基づいて、画像記録部に記録される。
【図面の簡単な説明】
【００１０】
【図１】カメラシステムの全体構成図
【図２】カメラ本体の制御システムを示すブロック図
【図３】交換レンズの制御システムを示すブロック図
【図４】カメラシステムの上面図
【図５】カメラシステムの背面図
【図６】（ａ）半径方向外側から見た絞りリングの展開図、（ｂ）半径方向内側から見た絞りリングの展開図
【図７】絞りリングと絞りリニアセンサとの結合部分を示す断面図
【図８】絞りリニアセンサの回路構成図
【図９】絞りリングに対する摺動子の位置と絞りリニアセンサの出力値との関係を示すグラフ
【図１０】ファインダ撮影モードを説明するための図
【図１１】モニタ撮影モードを説明するための図
【図１２】絞り込みモードのフローチャート
【図１３】（ａ）、（ｂ）液晶モニタに表示される画像の一例
【図１４】絞り込みモードのフローチャート（第２実施形態）
【図１５】絞り込みモードのフローチャート（第２実施形態）
【図１６】液晶モニタに表示される画像の一例（第２実施形態）
【図１７】液晶モニタに表示される画像の一例（他の実施形態）
【発明を実施するための形態】
【００１１】
以下、図面を参照しながら本発明の実施の形態について説明する。
〔第１実施形態〕
＜1：カメラシステムの全体構成＞
図１〜図３を用いて、本発明の一実施形態としてのカメラシステム１００について説明する。図１はカメラシステム１００の全体構成図である。図２はカメラ本体１の制御ブロック図である。図３は交換レンズユニット２の制御ブロック図である。
カメラシステム１００は、交換レンズ式の一眼レフデジタルカメラに用いられるシステムである。図１に示すように、カメラシステム１００は主に、カメラ本体１と、カメラ本体１に取り外し可能に装着された交換レンズユニット２と、から構成されている。交換レンズユニット２は被写体の光学像を形成する。カメラ本体１は交換レンズユニット２により形成された光学像を電気信号に変換し、画像データの記録および画像の表示などを行う。
【００１２】
（１．１：交換レンズユニット）
図１および図３に示すように、交換レンズユニット２は主に、撮像光学系Ｌと、撮像光学系Ｌのズーム倍率を調節するズーム調節部２４と、撮像光学系Ｌの焦点を調節する焦点調節部２２と、撮像光学系Ｌの絞り値（絞りの開度により変化する実際のＦ値）を調節する絞り調節部２９と、レンズ制御部としてのレンズマイコン２０と、を有している。撮像光学系Ｌはカメラ本体１の撮像センサ１１に被写体像を結ぶ。
レンズマイコン２０は、交換レンズユニット２の各種シーケンスを制御するためのユニットである。レンズマイコン２０には交換レンズユニット２に関する各種レンズ情報が格納されている。レンズマイコン２０は、ズーム制御部６２、フォーカス制御部２６および絞り制御部２７と双方向通信が可能である。
【００１３】
図１および図３に示すように、ズーム調節部２４は主に、ズームリニアセンサ６０と、Ａ／Ｄ変換部６１と、ズーム制御部６２と、を有している。ズーム制御部６２は、Ａ／Ｄ変換部６１を介して、ズームリニアセンサ６０から信号を受信可能である。ズーム制御部６２は、ズームリニアセンサ６０により検出されたズームリング３８の回転角度を撮像光学系Ｌの焦点距離情報に変換する。ズーム制御部６２は焦点距離情報をレンズマイコン２０へ送信する。
図１および図３に示すように、焦点調節部２２は主に、フォーカスレンズ群２５と、フォーカスレンズ群２５の動作を制御するフォーカス制御部２６と、を有している。フォーカス制御部２６は、フォーカスリニアセンサ６３から信号を受信可能であり、Ａ／Ｄ変換部６４を介して、フォーカス駆動モータ６５へ信号を送信可能である。フォーカスリニアセンサ６３はフォーカスリング３９の回転角度を検出する。Ａ／Ｄ変換部６４はフォーカスリニアセンサ６３により検出された回転角度情報をデジタル化する。フォーカス制御部２６は、Ａ／Ｄ変換部６４によりデジタル化されたフォーカスリング３９の回転角度情報を物点距離情報に変換する。フォーカス制御部２６はレンズマイコン２０からの命令に基づいて物点距離情報をレンズマイコン２０へ送信する。フォーカス制御部２６は、レンズマイコン２０からの制御信号に基づいてフォーカス駆動モータ６５を駆動する。このように、焦点調節部２２により焦点調節が行われる。
【００１４】
絞り調節部２９は主に、絞りユニット２８と、絞りユニット２８の動作を制御する絞り制御部２７と、絞り値を設定するための絞りリング４０と、を有している。絞りユニット２８は、図示しない絞り羽根と、絞り羽根を駆動するための絞り駆動モータ２８ｂと、を有している。
絞り制御部２７は、絞りリング４０により設定されている絞り値を検出する。具体的には、図３に示す絞りリニアセンサ４１は絞りリング４０の回転角度を検出する。Ａ／Ｄ変換部６７は絞りリング４０により検出された回転角度をデジタル化する。絞り制御部２７は、Ａ／Ｄ変換部６７を介して絞りリニアセンサ４１から信号を受信可能であり、Ａ／Ｄ変換部６７によりデジタル化された絞りリング４０の回転角度情報を絞り値情報に変換する。
【００１５】
絞り制御部２７は、レンズマイコン２０からの命令に基づいて絞り値情報をレンズマイコン２０へ送信し、レンズマイコン２０からの制御信号に基づいて絞り駆動モータ２８ｂを駆動する。絞り駆動モータ２８ｂは、絞り制御部２７からの制御信号により、絞りリング４０で設定された絞り値に応じて絞り羽根を駆動する。このように、絞り調節部２９により撮像光学系Ｌの絞り値が調節される。
交換レンズユニット２はさらに、レンズマウント２１を有しており、レンズマウント２１を介してカメラ本体１の前面に設けられたボディーマウント２３に取り外し可能に装着されている。交換レンズユニット２はレンズマウント２１に設けられた図示しない電気切片を有している。カメラ本体１はボディーマウント２３に設けられた図示しない電気切片を有している。これらの電気切片を介して、後述するボディーマイコン１２とレンズマイコン２０との間でレンズ情報および各種制御信号の送受信が行われる。
【００１６】
（１．２：カメラ本体）
図１および図２に示すように、カメラ本体１は主に、クイックリターンミラー４と、ファインダ光学系１９と、焦点検出ユニット５と、シャッターユニット１０と、撮像部４５と、本体制御部としてのボディーマイコン１２と、を有している。ボディーマイコン１２は各種シーケンスをコントロールする。焦点検出ユニット５の焦点検出方式としては、例えば位相差検出方式が採用されている。
図１および図２に示すように、クイックリターンミラー４を駆動するために、クイックリターンミラー制御部４３およびクイックリターンミラー駆動モータ４４が設けられている。クイックリターンミラー制御部４３は、ボディーマイコン１２からの制御信号に基づき、クイックリターンミラー駆動モータ４４を駆動する。シャッターユニット１０を駆動するために、シャッター制御部１４およびシャッター駆動モータ１０ａが設けられている。シャッター制御部１４は、ボディーマイコン１２からの制御信号に基づいてシャッター駆動モータ１０ａ（図示せず）を駆動する。ボディーマイコン１２は、シャッター制御部１４と、クイックリターンミラー制御部４３へ信号を送信可能である。
【００１７】
撮像部４５は主に、撮像センサ１１と、撮像センサ１１の動作を制御する撮像センサ制御部１３と、を有している。撮像センサ１１は、例えばＣＣＤ（Ｃｈａｒｇｅ  Ｃｏｕｐｌｅｄ  Ｄｅｖｉｃｅ）等である。撮像センサ１１は、交換レンズユニット２の撮像光学系Ｌにより形成される光学像を画像信号に変換する。
図２に示すように、撮像センサ１１から出力される画像信号は、アナログ信号処理部５１、Ａ／Ｄ変換部５２、デジタル信号処理部５３、バッファメモリ５４、画像圧縮部５６の順に処理される。具体的には、画像信号は、撮像センサ１１からアナログ信号処理部５１へ送信される。アナログ信号処理部５１は、撮像センサ１１から出力された画像信号にガンマ処理等のアナログ信号処理を施す。
アナログ信号処理部５１には、アナログ画像信号のレベル（ゲイン：Ｇａｉｎ）を補正する画像調節部としてのＡＧＣ（Ａｕｔｏ  Ｇａｉｎ  Ｃｏｎｔｒｏｌ）部５９を備えている。このＡＧＣ部５９は、後述する絞り込みモードにおいて適正露出が得られない場合などに、画像信号のレベル不足を補償するアンプ機能を有している。このアンプ機能では、後述するＡ／Ｄ変換部５２の入力電圧範囲に合うよう、アナログ画像信号を設定絞り値に応じた適正な増幅率で増幅する。例えば、このアナログ信号処理部５１は、ＡＧＣ部５９を用いて、後述の絞り込みモードにおいて撮影された実絞り画像に対して、後述する液晶モニタ１６での表示に好適な明るさの画像となるようにゲインを変更する処理等を行う。これにより、絞り値が大きい場合でも、液晶モニタ１６に表示される画像が明るくなり、実絞り画像を観察しやすくなる。
【００１８】
アナログ信号処理が施された画像信号は、アナログ信号処理部５１からＡ／Ｄ変換部５２へ送信される。Ａ／Ｄ変換部５２は、アナログ信号処理部５１から出力されたアナログ画像信号をデジタル信号に変換する。
デジタル信号処理部５３は、Ａ／Ｄ変換部５２によりデジタル信号に変換された画像信号に対して、ノイズ除去や輪郭強調等のデジタル信号処理を施す。デジタル信号処理が施された画像信号は、デジタル信号処理部５３からバッファメモリ５４へ送信される。バッファメモリ５４は、デジタル信号処理部５３により処理された画像信号を一旦記憶する。バッファメモリ５４は、例えば、ＲＡＭ（Ｒａｎｄｏｍ  Ａｃｃｅｓｓ  Ｍｅｍｏｒｙ）などである。
バッファメモリ５４に記憶された画像信号は、画像記録制御部１７からの命令に従って、バッファメモリ５４から画像圧縮部５６へ送信される。画像記録制御部１７の命令に従って、画像圧縮部５６は画像信号に圧縮処理を行う。この圧縮処理により、画像信号のデータサイズは元の画像信号のデータサイズより小さくなる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式などが用いられる。圧縮された画像データは、画像圧縮部５６から画像記録部１８および液晶モニタ１６へ送信される。
【００１９】
画像信号を記録するために、画像記録制御部１７および画像記録部１８が設けられている。画像記録制御部１７は、例えば図示しないカード型記録媒体に対して、画像データの読み書きを画像記録部１８に行わせる。具体的には、画像記録制御部１７は、ボディーマイコン１２からの制御信号に基づいて画像記録部１８を制御する。画像記録部１８は、画像記録制御部１７の命令に基づいて、画像データを内部メモリおよび／または記録媒体に記録する。画像データとともに記憶される情報は、例えば、画像を撮影した際の日時、焦点距離情報、シャッタースピード情報、絞り値情報、撮影モード情報などである。
被写体の画像を表示するために、画像表示部４６および液晶モニタ１６が設けられている。画像表示制御部１５は、ボディーマイコン１２からの制御信号に基づいて液晶モニタ１６を制御する。具体的には、画像表示制御部１５は、撮像センサ１１により取得された画像データを読み出し、画像データに対して所定の処理を施した後、液晶モニタ１６に画像を表示させる。液晶モニタ１６は、画像表示制御部１５の命令に基づいて、画像信号を可視画像として表示するとともに、各種情報を表示する。表示される情報としては、例えば、焦点距離情報、シャッタースピード情報、絞り値情報、撮影モード情報、合焦状態情報、交換レンズユニット２の絞りリング４０の有無、ならびに絞り値の設定ステップおよび設定幅等が挙げられる。また、液晶モニタ１６は、画像表示制御部１５の命令に基づいて、所定の撮影および再生モードにおいて、撮影者により設定されるべき設定画面を表示する。
【００２０】
ボディーマイコン１２は、画像記録制御部１７、画像表示制御部１５およびデジタル信号処理部５３と双方向通信が可能である。ボディーマイコン１２は、各種情報および信号を格納するメモリ６８を有している。
（１．３：操作部）
ここで、図４〜図５を用いてカメラシステム１００の操作部について説明する。図４はカメラシステム１００の上面図である。図５はカメラ本体１の背面図である。
図４に示すように、カメラ本体１には、レリーズボタン３０と、シャッタースピード設定ダイヤル３１と、が設けられている。レリーズボタン３０と、シャッタースピード設定ダイヤル３１とは、カメラ本体１の上面に設けられている。
レリーズボタン３０は、ボディーマイコン１２へシャッターの操作タイミングを送信する。シャッタースピード設定ダイヤル３１は、シャッタースピードの設定を行うための操作部材である。シャッタースピード設定ダイヤル３１は、設定されたシャッタースピード情報およびシャッターモード情報を送信する。シャッタースピード設定ダイヤル３１を回転することによりシャッタースピードを調節することができる。シャッタースピード設定ダイヤル３１は、シャッタースピードが自動的に設定されるオートの位置を有している。
【００２１】
図４に示すように、交換レンズユニット２の被写体側には、フィルタマウント３７が設けられている。交換レンズユニット２には、フィルタマウント３７からカメラ本体１側（Ｚ軸方向負側）へ向けて、ズームリング３８と、フォーカスリング３９と、絞りリング４０と、が順に配置されている。ズームリング３８、フォーカスリング３９および絞りリング４０は、いずれも円筒状の回転操作部材であり、交換レンズユニット２の外周面において回転可能に配置されている。絞りリング４０は絞り値設定部の一例である。
図５に示すように、カメラ本体１の背面には、電源ボタン７０、撮影／再生モード切り替えレバー７１、ＭＥＮＵボタン７２、十字操作キー７３、ＳＥＴボタン７４、絞り込みモードボタン７６が設けられている。カメラ本体１の背面（撮影者側の面、Ｚ軸方向負側の面）には液晶モニタ１６が設けられている。
【００２２】
電源ボタン７０は、カメラシステム１００の電源のＯＮ／ＯＦＦを行う操作部材である。撮影／再生モード切り替えレバー７１は、撮影モードと再生モードとの切り替えを行う操作部材である。ここで、撮影モードとは、カメラシステム１００において、被写体を新たに撮影して画像信号にするためのモードである。再生モードとは、カメラシステム１００において、既に撮影して格納されている画像データを表示するためのモードである。
撮影者が撮影する場合に、電源ボタン７０がＯＮに切り替えられ、撮影／再生モード切り替えレバー７１が撮影モードに切り替えられる。これによりカメラシステム１００の電源が入り、液晶モニタ１６には、撮像センサ１１により電気的な画像信号に変換された被写体の可視画像が、画像表示制御部１５の命令に基づいて表示される。
ＭＥＮＵボタン７２は、液晶モニタ１６に各種操作メニューを表示させるための操作部材である。カメラシステム１００が撮影モードにある状態において、撮影者がＭＥＮＵボタン７２を押すと、画像表示制御部１５の命令に基づき、液晶モニタ１６には設定メニュー画面が表示される。設定メニュー画面には、撮影モードにおいて撮影者により変更可能な設定項目のアイコンが表示される。
【００２３】
十字操作キー７３は、各種操作メニューの表示項目を選択するための操作部材であり、上下および左右の矢印キーを有している。ＳＥＴボタン７４は、各種操作メニューの表示項目を確定するための操作部材である。絞り込みモードボタン７６は、後述する絞り込みモードへ移行させるためのボタンである。
なお、ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞り込みモードボタン７６と、から信号を受信可能である。
（１．４：絞りリング）
ここで、図６〜図９を用いて絞りリング４０について説明する。図６（ａ）は半径方向外側から見た絞りリング４０の展開図、図６（ｂ）は半径方向内側から見た絞りリングの展開図である。図７は絞りリング４０と絞りリニアセンサ４１との結合部分の断面図である。図８は絞りリニアセンサ４１の回路構成図である。図９は絞りリング４０の回転角度と絞りリニアセンサ４１の出力値との関係を示すグラフである。
【００２４】
図６（ａ）に示すように、絞りリング４０の外周面には絞り値が表示されている。絞り値の表示領域は２つの領域に分かれている。具体的には図６（ａ）に示すように、「２」から「１１」までの１ＡＶ（Ａｐｅｒｔｕｒｅ  Ｖａｌｕｅ）ごとの表示部分がマニュアルモードに対応している。図６（ａ）に示すように、「Ａ」の表示部分がオートモードに対応している。図６（ｂ）に示すように、絞りリング４０の内周部には直線状のカム溝４２が形成されている。
図７に示すように、絞りリニアセンサ４１は、絞りリング４０の半径方向外側に突出する円筒形状の摺動子４１ａを有している。図６（ｂ）および図７に示すように、絞りリニアセンサ４１の摺動子４１ａは絞りリング４０に形成されたカム溝４２に挿入されている。絞りリング４０が回転すると、カム溝４２に沿って摺動子４１ａは光軸に沿った方向（Ｚ軸方向）に移動する。
【００２５】
図８に示すように、絞りリニアセンサ４１は可変抵抗器を有する回路により構成されている。図８に示す端子Ｔ２は摺動子４１ａに接続されており、端子Ｔ２およびＴ３は、図７に示す絞りリニアセンサの両端部４１ｂおよび４１ｃに接続されている。端子Ｔ１およびＴ３の間には所定の電圧が付与されている。摺動子４１ａが絞りリニアセンサ４１内にある磁気抵抗体上をスライドすることにより、端子Ｔ２の出力（出力電圧）はリニアに変化する。
図６に示すように、絞りリング４０の文字「２」が表示されている位置が指標３３の位置と一致している場合、絞りリニアセンサ４１の摺動子４１ａは、カム溝４２の位置Ｐ上にある。この場合、図９に示すように、絞りリニアセンサ４１の出力値（出力電圧値）は、Ｐ'となる。つまり、絞りリング４０の文字「２」が表示されている位置を指標３３の位置と一致させた場合には、絞りリニアセンサ４１の出力電圧値はＰ'となる。
【００２６】
同様に、絞りリング４０を回転させて、絞りリング４０上に文字「２．８」、「４」、「５．６」、「８」、「１１」および「Ａ」が表示されている位置が指標３３の位置と一致している場合、絞りリニアセンサ４１の摺動子４１ａは、カム溝４２の位置Ｑ、Ｒ、Ｓ、Ｔ、ＵおよびＶ上にある。その場合、絞りリニアセンサ４１の出力値（出力電圧値）は、それぞれ、Ｑ'、Ｒ'、Ｓ'、Ｔ'、Ｕ'およびＶ'となる。つまり、絞りリング４０上の文字「２．８」、「４」、「５．６」、「８」、「１１」および「Ａ」が表示されている位置を指標３３の位置と一致させた場合には、絞りリニアセンサ４１の出力電圧値は、Ｑ'、Ｒ'、Ｓ'、Ｔ'、Ｕ'およびＶ'となる。
このように、絞りリニアセンサ４１は、絞りリング４０の回転角度と１対１で対応する出力（出力電圧値）を有しており、絞りリング４０の回転角度に応じた絞り値信号を電圧変化として出力する。したがって、絞りリニアセンサ４１からの出力に基づいて、絞りリング４０の回転角度を検出することができる。
【００２７】
＜２．カメラシステムの動作＞
図１０および図１１を用いてカメラシステム１００の動作について説明する。図１０はファインダ撮影モードを説明するための図である。図１１はモニタ撮影モードを説明するための図である。
このカメラシステム１００は、２つの撮影モードを有している。一方の撮影モードは、撮影者がファインダ接眼窓９を観察しながら撮影するファインダ撮影モードであり、従来の一眼レフカメラにおける通常の撮影モードである。他方の撮影モードは、液晶モニタ１６を用いて撮影するモニタ撮影モードである。
（２．１：ファインダ撮影モード）
図１０に示すように、ファインダ撮影モードでは、クイックリターンミラー４は光路Ｘ上の所定の位置に配置されている。このため、交換レンズユニット２を通過した被写体からの光は、クイックリターンミラー４のメインミラー４ａにより２つの光束に分割される。反射光束はファインダ光学系１９へ導かれる。透過光束は、クイックリターンミラー４の背面側に設けられたサブミラー４ｂで反射されて、焦点検出ユニット５のＡＦ（Ａｕｔｏｍａｔｉｃ  Ｆｏｃｕｓ）用光束として利用される。
【００２８】
メインミラー４ａで反射された光束はファインダースクリーン６上に結像される。ファインダースクリーン６上に結像された被写体像は、ペンタプリズム７および接眼レンズ８を介してファインダ接眼窓９から観察することができる。このように、このファインダ撮影モードでは、撮影者がファインダ接眼窓９から被写体像を観察することができる。
実際の撮影時には、クイックリターンミラー４が光路Ｘ外に跳ね上げられるとともに、シャッターユニット１０が開かれて撮像センサ１１の撮像面上に被写体像が結像される。これにより、被写体の画像を取得することが可能となる。
撮影者のレリーズボタン３０の半押し動作により、カメラ本体１のボディーマイコン１２、交換レンズユニット２のレンズマイコン２０および各種ユニットに電源が供給される。ボディーマイコン１２、レンズマイコン２０および各種ユニットは電源供給により起動する。ボディーマイコン１２は、レンズマウント２１およびボディーマウント２３を介して、レンズマイコン２０から各種レンズ情報を受信する。レンズ情報はボディーマイコン１２に内蔵されるメモリ６８に保存される。
【００２９】
次に、焦点検出ユニット５より焦点ずれ量（以後、Ｄｆ量という）が取得され、Ｄｆ量はボディーマイコン１２に送信される。Ｄｆ量に応じてフォーカスレンズ群２５が駆動される。具体的には、ボディーマイコン１２からレンズマイコン２０へフォーカスレンズ群２５の駆動命令が送信される。レンズマイコン２０によりフォーカス制御部２６を介してＤｆ量分だけフォーカスレンズ群２５が駆動される。焦点検出およびフォーカスレンズ群２５の駆動が繰り返されると、Ｄｆ量は小さくなる。Ｄｆ量が所定量以下になった場合、ボディーマイコン１２は、合焦と判断し、フォーカスレンズ群２５の駆動を停止する。
この後、レリーズボタン３０が全押しされると、ボディーマイコン１２からレンズマイコン２０へ絞り調節命令が送信される。このとき、例えば、図示しない測光センサからの出力に基づいて、ボディーマイコン１２により絞り値が算出される。レンズマイコン２０により絞り制御部２７を介して絞りユニット２８の絞りの開度が調節される。
【００３０】
絞り調節と同時に、ボディーマイコン１２からクイックリターンミラー制御部４３へ、クイックリターンミラー４を光路Ｘ上から退避させる命令が送信される。退避完了後、撮像センサ制御部１３により撮像センサ１１が駆動され、シャッター制御部１４によりシャッターユニット１０が駆動される。シャッター制御部１４により、図示しない測光センサからの出力に基づいて計算されたシャッタースピードの時間だけ、シャッターユニット１０の開状態が保たれ、撮像センサ１１が露光される。
露光完了後、撮像センサ１１から出力された画像信号に所定の画像処理が施され、液晶モニタ１６に撮影された画像が表示される。また、画像記録部１８を介して、記憶媒体に画像データが記録される。露光完了後、クイックリターンミラー４およびシャッターユニット１０が初期位置にリセットされる。ボディーマイコン１２からレンズマイコン２０へ、絞りユニット２８を開放位置にリセットするよう命令が送信される。レンズマイコン２０により各ユニットにリセット命令が下される。リセット完了後、レンズマイコン２０からボディーマイコン１２へリセット完了情報が送信される。レンズマイコン２０からのリセット完了情報を受信し露光後の一連処理が完了すると、レリーズボタン３０が押し込まれていないことがボディーマイコン１２により確認され、撮影シーケンスが終了する。
【００３１】
（２．２：モニタ撮影モード）
図１１に示すように、モニタ撮影モードで撮影する際には、撮影モード切り替えボタン７５が操作され、撮影モードがモニタ撮影モードに移行する。具体的には、クイックリターンミラー制御部４３によりクイックリターンミラー駆動モータ４４がクイックリターンミラー４を駆動し、クイックリターンミラー４が光路Ｘ外に退避する。この結果、撮像光学系Ｌにより形成された被写体像は撮像センサ１１に入射する。撮像センサ１１から画像信号が出力され、所定の画像処理が施された後、液晶モニタ１６に撮影された画像が表示される。このように、モニタ撮影モードでは、被写体の実時間画像を液晶モニタ１６に表示させることにより、撮影者はファインダ接眼窓９を覗くことなく、被写体を観察することが可能となる。
【００３２】
撮影者によりレリーズボタン３０が半押しされると、ファインダ撮影モードと同様に、焦点調節および絞り調節が行われる。モニタ撮影モードの場合、焦点を検出する際に、クイックリターンミラー制御部４３によりクイックリターンミラー駆動モータ４４が駆動され、クイックリターンミラー４が光路Ｘ上の所定位置に戻される。焦点検出ユニット５よりＤｆ量が取得され、Ｄｆ量に応じてフォーカスレンズ群２５が駆動される。焦点検出およびフォーカスレンズ群２５の駆動が繰り返されると、Ｄｆ量は小さくなる。Ｄｆ量が所定量以下になった場合、ボディーマイコン１２は、合焦と判断し、フォーカス制御部２６にフォーカスレンズ群２５の駆動を停止させる。
レリーズボタン３０が全押しされた際の撮影動作は、前述のファインダ撮影モードの場合と同様である。露光完了後、クイックリターンミラー４は光路Ｘ上から退避させた状態で保持される。これにより、モニタ撮影モードを継続することが可能となる。
【００３３】
撮影モード切り替えボタン７５を操作すると、モニタ撮影モードが解除され、ファインダ撮影モードに切り替えられる。この場合、クイックリターンミラー４が光路Ｘ上の所定位置に戻される。また、カメラシステム１００の電源がＯＦＦに切り替えられた場合も、クイックリターンミラー４が光路Ｘ上の所定位置に戻される。
このように、このカメラシステム１００では、モニタ撮影モードを利用できるため、デジタルカメラの撮影に不慣れな初心者にとって非常に使い易くなる。
（２．３：露出設定モードの選択）
カメラシステム１００は、露出設定モードとして、プログラム撮影モード、シャッタースピード優先撮影モード、絞り優先モードおよびマニュアル撮影モードを有している。プログラム撮影モードは通常撮影領域に対して自動で露出設定を行うモードである。シャッタースピード優先モードは、シャッタースピードを手動で設定するモードである。絞り優先モードは絞り値を手動で設定するモードである。マニュアル撮影モードはシャッタースピードおよび絞り値を両方とも手動で設定するモードである。
【００３４】
これらの４つの露出設定モードは、絞りリング４０およびシャッタースピード設定ダイヤル３１により選択することができる。具体的には、例えば、絞りリング４０の文字「Ａ」が指標３３と一致している状態で、シャッタースピード設定ダイヤル３１によりシャッタースピードがオートに設定されている場合、プログラム撮影モードが選択される。絞りリング４０の文字「Ａ」が指標３３と一致している状態で、シャッタースピード設定ダイヤル３１によりシャッタースピードがマニュアルに設定されている場合、シャッタースピード優先撮影モードが選択される。絞りリング４０の文字「２」〜「１１」のいずれかが指標３３と一致している状態で、シャッタースピード設定ダイヤル３１によりシャッタースピードがオートに設定されている場合、絞り優先撮影モードが選択される。絞りリング４０の文字「２」〜「１１」のいずれかが指標３３と一致している状態で、シャッタースピード設定ダイヤル３１によりシャッタースピードがマニュアルに設定されている場合、マニュアル撮影モードが選択される。
【００３５】
以下、４つの露出設定モードのうち、プログラム撮影モードおよびシャッタースピード優先撮影モードを総称してオート絞りモードという。４つの露出設定モードのうち、絞り優先撮影モードおよびマニュアル撮影モードを総称してマニュアル絞りモードという。
（２．４：オート絞りモード）
絞りリニアセンサ４１は、絞りリング４０の回転角度に応じた信号を絞り制御部２７へ出力する。絞りリング４０の文字「Ａ」が指標３３と一致している場合、レリーズボタン３０が操作されると、絞り制御部２７は、絞りリニアセンサ４１から受信した信号に基づいて露出設定モードがオート絞りモードであることを判断する。絞り制御部２７での判断結果は、レンズマイコン２０、ボディーマイコン１２へ送信される。このとき、ボディーマイコン１２への送信は、例えば、レンズマイコン２０とボディーマイコン１２とのマイコン間通信を介して行われる。
【００３６】
シャッタースピード設定ダイヤル３１は、回転角度に応じた信号をボディーマイコン１２へ出力する。絞り制御部２７から受信した判断結果およびシャッタースピード設定ダイヤル３１からの信号に基づいて、ボディーマイコン１２により露出設定モードがオート絞りモードであると判定される。
ボディーマイコン１２からデジタル信号処理部５３へ命令が送信され、デジタル信号処理部５３により所定のタイミングで画像信号がボディーマイコン１２へ送信される。デジタル信号処理部５３から送信される画像信号に基づいてボディーマイコン１２により露出値が演算される。露出設定モードがプログラム撮影モードである場合、調整可能な絞り値とシャッタースピードとから絞り値およびシャッタースピードの適切な組み合わせがボディーマイコン１２により決定される。露出設定モードがシャッタースピード優先撮影モードである場合、設定されたシャッタースピードに対する適切な絞り値がボディーマイコン１２により演算される。
【００３７】
演算結果に基づいてボディーマイコン１２により制御信号が生成される。この制御信号は、レンズマイコン２０を介してボディーマイコン１２から絞り制御部２７へ送信される。露出設定モードがプログラム撮影モードである場合、演算されたシャッタースピードに基づく制御信号がボディーマイコン１２からシャッター制御部１４へ送信される。露出設定モードがシャッタースピード優先撮影モードである場合、シャッタースピード設定ダイヤル３１により設定されたシャッタースピードがボディーマイコン１２からシャッター制御部１４へ送信される。
それと同時に、ボディーマイコン１２から画像表示制御部１５へ制御信号が送信される。この制御信号に基づいて、画像表示制御部１５は液晶モニタ１６を駆動する。具体的には、露出設定モードがプログラム撮影モードである場合、画像表示制御部１５により露出設定モードがプログラム撮影モードである旨が液晶モニタ１６に表示される。露出設定モードがシャッタースピード優先モードである場合、画像表示制御部１５により露出設定モードがシャッタースピード優先モードである旨が液晶モニタ１６に表示される。
【００３８】
レンズマイコン２０からの制御信号に基づいて、絞り駆動モータ２８ｂを駆動するための駆動信号が絞り制御部２７により生成される。この駆動信号に基づいて絞り駆動モータ２８ｂが駆動され、絞り駆動モータ２８ｂにより絞りユニット２８の絞り羽根が駆動される。
ボディーマイコン１２からの制御信号に基づいて、シャッター駆動モータ１０ａを駆動するための駆動信号がシャッター制御部１４により生成される。この駆動信号に基づいてシャッター駆動モータ１０ａは駆動され、シャッター駆動モータ１０ａによりシャッターユニット１０が駆動される。
以上のように、カメラシステム１００においてオート絞りモードによる露出設定が行われる。レリーズボタン３０の操作後、以上の動作は瞬時に実行される。
【００３９】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
露出設定モードがプログラム設定モードである場合、画像記録制御部１７の命令に基づいて、露出設定モードがプログラム撮影モードである旨の情報が画像信号とともに内部メモリおよび／または記録媒体に記録される。露出設定モードがシャッター優先モードである場合、画像記録制御部１７の命令に基づいて、露出設定モードがシャッタースピード優先モードである旨の情報が画像信号とともに内部メモリおよび／または記録媒体に記録される。
（２．５：マニュアル絞りモード）
絞りリング４０の文字「２」〜「１１」のいずれかの文字が指標３３と一致している場合、レリーズボタン３０が操作されると、絞り制御部２７は、絞りリニアセンサ４１から受信した信号に基づいて露出設定モードがマニュアル絞りモードであると判定する。絞り制御部２７での判断結果は、レンズマイコン２０へ送信される。
【００４０】
シャッタースピード設定ダイヤル３１は、回転角度に応じた信号をボディーマイコン１２へ出力する。絞り制御部２７から受信した判断結果およびシャッタースピード設定ダイヤル３１からの信号に基づいて、ボディーマイコン１２により露出設定モードがマニュアル絞りモードであると判定される。
レンズマイコン２０は、絞り制御部２７に対して絞りリング４０の回転角度から検出された絞り値情報を要求する。レンズマイコン２０からの命令に基づいて、絞りリング４０の回転角度から検出された絞り値情報が、絞り制御部２７からレンズマイコン２０およびボディーマイコン１２へ送信される。露出設定モードが絞り優先撮影モードである場合、ボディーマイコン１２からデジタル信号処理部５３へ命令が送信され、所定のタイミングで画像信号がデジタル信号処理部５３からボディーマイコン１２へ送信される。
【００４１】
露出設定モードが絞り優先撮影モードである場合、画像信号に基づいてボディーマイコン１２によりシャッタースピードが演算される。露出設定モードが絞り優先撮影モードである場合、検出された絞り値に対する適切なシャッタースピードがボディーマイコン１２により演算される。露出設定モードが絞り優先撮影モードである場合、演算結果に基づいてボディーマイコン１２により制御信号が生成される。露出設定モードが絞り優先撮影モードである場合、演算されたシャッタースピードに基づく制御信号がボディーマイコン１２によりシャッター制御部１４へ送信される。露出設定モードがマニュアル撮影モードである場合、シャッタースピード設定ダイヤル３１により設定されたシャッタースピードがボディーマイコン１２によりシャッター制御部１４へ送信される。
それと同時に、ボディーマイコン１２から画像表示制御部１５へ制御信号が送信される。この制御信号に基づいて、画像表示制御部１５は液晶モニタ１６を駆動する。具体的には、露出設定モードが絞り優先撮影モードである場合、画像表示制御部１５により露出設定モードが絞り優先撮影モードである旨が液晶モニタ１６に表示される。露出設定モードがマニュアル撮影モードある場合、画像表示制御部１５により露出設定モードがマニュアル撮影モードである旨が液晶モニタ１６に表示される。
【００４２】
レンズマイコン２０からの制御信号に基づいて、絞り駆動モータ２８ｂを駆動するための駆動信号が絞り制御部２７により生成される。この駆動信号に基づいて、絞り駆動モータ２８ｂが駆動され、絞り駆動モータ２８ｂにより絞りユニット２８の絞り羽根が駆動される。
ボディーマイコン１２からの制御信号に基づいて、シャッター駆動モータ１０ａを駆動するための駆動信号がシャッター制御部１４により生成される。この駆動信号に基づいてシャッター駆動モータ１０ａが駆動され、シャッター駆動モータ１０ａによりシャッターユニット１０が駆動される。
以上のように、カメラシステム１００においてマニュアル絞りモードによる露出設定が行われる。レリーズボタン３０の操作後、以上の動作は瞬時に実行される。
【００４３】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
露出設定モードが絞り優先モードある場合、画像記録制御部１７の命令に基づいて、画像記録部１８により露出設定モードが絞り優先モードである旨の情報が画像信号とともに内部メモリおよび／または記録媒体に記録される。露出設定モードがマニュアル撮影モードである場合、画像記録制御部１７の命令に基づいて、露出設定モードがマニュアル撮影モードである旨の情報が画像信号とともに画像記録部１８により内部メモリおよび／または記録媒体に記録される。
＜３．絞り込みモード＞
次に、撮影時の絞り込みモードについて説明する。
【００４４】
（３．１：絞り込みモードの概要）
絞り込みモードでは、被写界深度の確認は液晶モニタ１６を介して行われる。具体的には、例えば、ファインダ撮影モードの場合、絞り込みモードボタン７６が押されると、撮影モードが自動的にモニタ撮影モードに移行する。この結果、絞りユニット２８での実際の絞り値に対応する実時間画像が液晶モニタ１６に表示される。これにより、液晶モニタ１６を介して被写界深度の確認を容易に行うことができる。
例えば、この絞り込みモードにおいて、交換レンズユニット２に絞りリング４０が搭載されている場合には、レンズマイコン２０は、絞りリング４０の回転角度に基づいて検出された絞り値情報を絞り制御部２７に要求する。レンズマイコン２０からの命令に基づいて、絞りリング４０の回転角度から検出された絞り値情報が、絞り制御部２７によりレンズマイコン２０およびボディーマイコン１２へ送信される。レンズマイコン２０からの制御信号に基づいて、絞り駆動モータ２８ｂを駆動するための駆動信号が絞り制御部２７により生成される。この駆動信号に基づいて絞り駆動モータ２８ｂは駆動され、絞り駆動モータ２８ｂにより絞りユニット２８の絞り羽根が駆動される。
【００４５】
（３．２：絞り込みモードの具体的動作）
次に、図１２および図１３を用いて絞り込みモードにおける具体的な動作について説明する。図１２は絞り込みモードのフローチャートである。図１３（ａ）は絞り値がＦ２の場合の実絞り画像の一例である。図１３（ｂ）は絞り値がＦ８の場合の実絞り画像の一例である。
図１２に示すように、絞り込みモードボタン７６が押されたか否かがボディーマイコン１２により判断される（Ｓ１）。絞り込みモードボタン７６が押された場合には、絞り込みモードに移行する（Ｓ２）。図１１に示すように、絞り込みモードでは、クイックリターンミラー制御部４３によりクイックリターンミラー駆動モータ４４が駆動され、クイックリターンミラー４が光路Ｘ外に退避する。クイックリターンミラー４の退避後、撮像センサ１１が動作を開始する。
【００４６】
次に、図１３に示すように、画像表示制御部１５からの命令に基づいて、液晶モニタ１６には、撮像センサ１１により得られた実時間画像が表示される（Ｓ３）。撮影者により絞りリング４０が操作されると、レンズマイコン２０からの命令に基づいて絞り制御部２７により絞りリング４０の回転角度に基づいた絞り情報が検出される（Ｓ４、Ｓ５）。レンズマイコン２０からの制御信号に基づいて、絞り駆動モータ２８ｂを駆動するための駆動信号が絞り制御部２７により生成され、絞り駆動モータ２８ｂにより絞りユニット２８の絞り羽根が駆動される（Ｓ６）。この結果、撮像光学系Ｌの絞り値が絞りリング４０により設定された絞り値に変更される。例えば、絞りリング４０による設定絞り値がＦ８である場合、例えば図１３に示すように、液晶モニタ１６には絞り値Ｆ８における実時間画像が表示される。このとき、例えば、液晶モニタ１６において画像の右上には絞り値Ｆ８が表示される。
【００４７】
ここで、液晶モニタ１６に表示される実絞り画像について説明する。実絞り画像の場合、絞り値に応じて被写界深度および明るさが変化する。例えば、図１３（ａ）に示すように、絞り値がＦ２の場合、真ん中に写された人物像に比べて背景のぼけた被写界深度が浅い画像が表示される。一方、絞り値がＦ８の場合、図１３（ｂ）に示すように、絞り値がＦ２の場合に比べて真ん中の人物と背景とに焦点が合った被写界深度が比較的深い画像が表示される。
しかしながら、一般的に、絞り値がＦ８である画像は、絞り値がＦ２の場合に比べて一定時間内に撮像センサ１１に入射する光の量が少ない。このため、絞り値Ｆ２の画像に比べて、絞り値Ｆ８の画像は、液晶モニタ１６に表示される画像が暗くなり、撮影者にとって見にくい。
【００４８】
そこで、このカメラシステム１００では、液晶モニタ１６での表示に好適な明るさとなるように、前述のアナログ信号処理部５１のＡＧＣ部５９により、実絞り画像に対してゲイン変更処理（ゲインアップ）が施される。具体的には、ＡＧＣ部５９により実絞り画像のアナログ信号が絞り値に応じて増幅される。この結果、絞り値に関係なく、図１３（ａ）、（ｂ）に示す両画像の明るさをほぼ同一にすることができる。
このように、このカメラシステム１００では、絞り値に応じて暗くなる実絞り画像を明るく表示することができる。これにより、明るさの違いに影響されることなく、撮影者が画像の被写界深度を容易に確認することが可能となる。
絞り込みモードボタン７６がＯＦＦであるか否かがボディーマイコン１２により判断され、ＯＦＦでない場合はステップＳ３〜Ｓ６が繰り返される（Ｓ７）。これにより、絞りリング４０の設定絞り値に対応する実時間画像が液晶モニタ１６に表示され、液晶モニタ１６を介して撮影時の被写界深度の確認を容易に行うことができる。
【００４９】
一方、絞り込みモードボタン７６がＯＦＦに切り替えられた場合、クイックリターンミラー４が光路Ｘ上の所定位置に戻され、絞り込みモードは終了する（Ｓ８）。
＜４．効果＞
このカメラシステム１００では、アナログ信号処理部５１のＡＧＣ部５９により、設定絞り値に応じて実絞り画像のアナログ信号が増幅される。このため、絞り値が小さく一定時間内に撮像センサ１１に入射する光量が少ない場合であっても、絞り値に関係なく液晶モニタ１６に表示される実絞り画像は明るくなる。これにより、絞り値の違いに起因する画像の明るさの違いに影響されることなく、撮影者が画像の被写界深度を容易に確認することが可能となる。
〔第２実施形態〕
前述の実施形態では、液晶モニタ１６には１つの画像のみが表示されている。しかし、異なる絞り値にて取得された画像が液晶モニタ１６に並んで表示される構成も考えられる。ここで、第２実施形態に係る絞り込みモードの具体的な動作について、図１４〜図１６を用いて説明する。図１４および図１５は第２実施形態に係る絞り込みモードのフローチャートである。図１６は液晶モニタ１６の表示例である。なお、第２実施形態における構成は、第１実施形態における構成と基本的に同一であるので、その説明は省略し、異なる部分を中心に説明する。
【００５０】
図１４に示すように、絞り込みモードボタン７６が押されたか否かがボディーマイコン１２により判断される（Ｓ１１）。絞り込みモードボタン７６が押された場合には、絞り込みモードに移行する（Ｓ１２）。図１１に示すように、絞り込みモードでは、クイックリターンミラー制御部４３によりクイックリターンミラー駆動モータ４４が駆動され、クイックリターンミラー４が光路Ｘ外に退避する。クイックリターンミラー４の退避後、撮像センサ１１が動作を開始する。
ここで、被写界深度を比較するための基準となる画像が自動的に取得される。具体的には図１６に示すように、画像表示制御部１５からの命令に基づいて、液晶モニタ１６の左側には、撮像センサ１１により得られた絞り値がＦ２の画像の一部が基準画像Ａとして表示される（Ｓ１３）。このときの絞り値は、例えばボディーマイコン１２により予め設定されている基準絞り値である。この基準絞り値は、交換レンズユニット２における最も明るい絞り値（絞りが最も開放された状態）であり、被写界深度が最も浅い。このため、基準画像Ａは真ん中に写された人物像に対して背景のぼけた画像である。基準画像Ａは、バッファメモリ５４により一時的に記憶され、画像表示制御部１５により液晶モニタ１６に表示された状態が保たれる。
【００５１】
次に、撮影者が絞りリング４０を操作すると、レンズマイコン２０からの命令に基づいて絞り制御部２７により絞りリング４０の回転角度に基づいた絞り情報が検出される（Ｓ１４、Ｓ１５）。レンズマイコン２０からの制御信号に基づいて、絞り駆動モータ２８ｂを駆動するための駆動信号が絞り制御部２７により生成され、絞り駆動モータ２８ｂにより、絞りユニット２８の絞り羽根が駆動される（Ｓ１６）。この結果、撮像光学系Ｌの絞り値が絞りリング４０により設定された絞り値（設定絞り値）に変更される。例えば、絞りリング４０による設定絞り値がＦ８である場合、液晶モニタ１６の右側には、絞りリング４０にて設定されたＦ８の実時間画像が比較画像Ｂとして表示される（Ｓ１７）。このとき、前述の第１実施形態と同様に、比較画像Ｂの画像信号はＡＧＣ部５９によりゲインアップされている。比較画像Ｂは、絞り値がＦ８の画像であるため、基準画像Ａに比べて、真ん中の人物と背景との両方に焦点が合った被写界深度が深い画像である。
【００５２】
ここで、レリーズボタン３０が全押しされると、撮影モードが連写モードに移行する（Ｓ１８）。具体的には図１５に示すように、クイックリターンミラー４が光路Ｘ上の所定位置に戻され、合焦動作が行われる（Ｓ２１、Ｓ２２）。次に、クイックリターンミラー４が光路Ｘ外へ退避し（Ｓ２３）、絞り値が基準絞り値Ｆ２に調節される（Ｓ２４）。具体的には、絞り値が設定絞り値Ｆ２になるように、絞りユニット２８の絞り羽根が駆動され、絞り値Ｆ２の画像が撮影される（Ｓ２５）。
次に、絞り値が設定絞り値Ｆ８に設定される（Ｓ２６）。具体的には、絞り値がＦ８となるように、絞りユニット２８の絞り羽根が駆動され、絞り値Ｆ８の画像が撮影される（Ｓ２７）。これらのステップにより、被写界深度が異なる２枚の画像が連写され、画像記録制御部１７の命令に基づいて、２枚の画像は内部メモリおよび／または記録媒体に記録される（Ｓ２８）。この連写モードが終了すると、図１４に示すステップＳ１３から絞り込みモードが再開される。
【００５３】
一方、レリーズボタン３０が全押しされていない場合、絞り込みモードボタン７６がＯＦＦであるか否かがボディーマイコン１２により判断される（Ｓ１８、Ｓ１９）。ＯＦＦでない場合はステップＳ１３〜Ｓ１８が繰り返される（Ｓ１９）。絞り込みモードボタン７６がＯＦＦに切り替えられた場合、クイックリターンミラー４が光路Ｘ上の所定位置に戻され、絞り込みモードが終了する（Ｓ２０）。
このように、本実施形態の絞り込みモードでは、基準画像Ａと比較画像Ｂとが液晶モニタ１６に並んで表示されているため、被写界深度が異なる画像を並べて比較することができる。これにより、絞り値の違いによる画像の違いを撮影者が把握しやすくなる。
それに加えて、前述の第１実施形態と同様に、比較画像Ｂの画像信号はＡＧＣ部５９によりゲインアップされている。このため、絞り値に関係なく基準画像Ａおよび比較画像Ｂの明るさをほぼ同一にすることができる。これにより、複数の画像を並べて比較する際に、明るさの違いに影響されることなく、撮影者が画像の被写界深度を容易に確認することが可能となる。
【００５４】
また、連写モードにおいて、本撮影の際の絞り値に即した画像、つまり実絞り画像を見ながら、被写界深度の異なる画像の連写を行うことができる。したがって、撮影条件等の設定の簡略化を図ることができ、撮影者の撮影の幅を拡げることが可能となる。
〔他の実施形態〕
本発明の具体的な構成は、前述の実施形態に限られるものではなく、発明の要旨を逸脱しない範囲で種々の変更および修正が可能である。
（１）
前述の第２実施形態では、液晶モニタ１６に、被写界深度の異なる２つの画像が並べて表示される。しかし、画像の表示形式は前述の実施形態に限定されない。例えば、図１７に示すように、表示モニタ１６の表示領域において、人物像の真ん中で１つの画像を左右に分け、表示領域の左側には一時的に記憶された基準絞り値Ｆ２の基準画像Ａの左半分が表示され、表示領域の右側には設定絞り値Ｆ８の比較画像Ｂの右半分がライブ画像として表示される場合も考えられる。前述の第２実施形態の場合と同様に、比較画像Ｂは設定絞り値で取得された実時間画像である。
【００５５】
また、前述の第２実施形態では、液晶モニタ１６には２枚の画像が並べて表示されており、連写モードでは２枚の画像が連写される。しかし、表示される画像および連写される画像の枚数は、２枚に限定されず、３枚以上であってもよい。
なお、撮影に関しては、連写に限らず、基準画像Ａあるいは比較画像Ｂのいずれかを撮影してもよい。
また、基準絞り値および設定絞り値については、前述のＦ２およびＦ８に限られない。
（２）
前述の実施形態では、交換レンズユニット２に搭載された絞りリング４０を用いて絞り値の変更が行われている。しかし、交換レンズユニット２に絞りリング４０が搭載されていない場合も考えられる。この場合、例えば、カメラ本体１に搭載されたダイヤルなどを用いて絞り値の変更が行われる。カメラ本体１に搭載されたダイヤルは、絞り値設定の専用ダイヤルでなくてもよく、例えば絞り値設定以外に他の機能を有していてもよい。
【００５６】
（３）
前述の実施形態では、撮像センサ１１により取得された画像が液晶モニタ１６に表示される。しかし、撮像センサ１１に代えて、別の撮像センサをファインダ光学系１９に設け、この撮像センサにより画像を取得する構成であってもよい。この場合、クイックリターンミラーが光路Ｘ外へ退避させる必要がない。
また、クイックリターンミラー４およびファインダ光学系１９の構成および配置については、前述の第１および第２実施形態に限定されない。
（４）
前述の実施形態では、絞り込みモードボタン７６を１度押せば撮影モードが絞り込みモードに移行され、もう１度押せば絞り込みモードが解除される。しかし、絞り込みモードボタン７６を押している間のみ、絞り込みモードが継続される構成であってもよい。
【００５７】
（５）
前述の実施形態では、焦点検出方式が焦点検出ユニット５を用いた位相差検出方式である。しかし、焦点検出方式は、例えば撮像センサ１１を用いたコントラスト検出方式であってもよい。この場合、例えば、図１５に示すステップＳ２１，Ｓ２３の処理は不要となり、合焦動作時間の短縮を図ることができる。
また、前述の実施形態においては、２つの絞り値に対応する画像を液晶モニタ１６に表示させる場合について説明したが、これに限定されることはなく、例えば、３以上の複数の絞り値に対応する画像を、液晶モニタ１６にマルチ画面として表示させるようにしてもよい。このとき、絞りが開放状態である場合の絞り値に対応する画像を液晶モニタ１６上の特定の表示領域に常に表示させ、その他の表示領域に絞りが開放状態である場合の絞り値以外の絞り値に対応する複数の画像をそれぞれ表示させるようにしてもよい。
【００５８】
（６）
前述の実施形態では、ゲインアップ処理はアナログ信号処理部５１のＡＧＣ部５９により行われている。しかし、アナログ信号処理部５１などにより撮像センサ１１の感度を上げることで絞り値に応じて画像の明るさを調節する場合も考えられる。また、アナログ信号処理部５１以外の部分でゲインアップ処理に相当する処理が行われてもよい。
（７）
前述の実施形態では、一眼レフデジタルカメラを例にカメラシステムについて説明している。しかし、このカメラシステムは、絞り値変更機能を有していれば、一眼レフ式以外のデジタルカメラでも適用可能である。
（８）
上記説明に用いた座標軸および方向は、カメラシステム１００の使用状態を限定するものではない。
【００５９】
〔付記〕
本発明は、以下のように表現することもできる。
＜１．付記の内容＞
（付記１）
撮像光学系と撮像素子との間に配置された可動の反射ミラーを有し、前記反射ミラーによって反射された光を観察する観察光学系を備えた撮像装置であって、
前記反射ミラーを駆動する反射ミラー駆動手段と、
前記撮像光学系を通った光を前記反射ミラーで反射して、前記観察光学系に導くように、前記反射ミラーを第１の状態へ駆動して撮影を行う第１の撮影モードと、
前記撮像光学系を通った光を前記撮像素子へ導くように、前記反射ミラーを第２の状態へ駆動して撮影を行う第２の撮影モードと、
撮影画像に対するゲインを変更する画像処理手段と、
前記撮影画像を表示する画像表示手段と、
操作されることにより、前記撮影光学系が実絞り状態へと制御され、前記第２の撮影モードへ移行すると共に、前記撮影画像が前記画像処理手段によりゲインを大きくされた状態にて、前記表示手段に表示されるプレビュー操作手段とを備えたことを特徴とする撮像装置。
【００６０】
（付記２）
撮像光学系と撮像素子との間に配置された可動の反射ミラーを有し、前記反射ミラーによって反射された光を観察する観察光学系を備えた撮像装置であって、
前記反射ミラーを駆動する反射ミラー駆動手段と、
前記撮像光学系を通った光を前記反射ミラーで反射して、前記観察光学系に導くように、前記反射ミラーを第１の状態へ駆動して撮影を行う第１の撮影モードと、
前記撮像光学系を通った光を前記撮像素子へ導くように、前記反射ミラーを第２の状態へ駆動して撮影を行う第２の撮影モードと、
撮影画像に対するゲインを変更する画像処理手段と
前記撮影画像を表示する画像表示手段と、
操作されることにより、前記撮影光学系が第１の絞り状態へと制御され、前記第２の撮影モードへ移行すると共に、前記撮影画像が前記画像処理手段によりゲインを大きくされた状態にて、前記表示手段に表示されるプレビュー操作手段と、
前記光学系の絞り値を変更する絞り変更手段と、
前記プレビュー操作手段が操作された状態にて、前記絞り変更手段を操作することにより前記第１の実絞り状態とは異なる第２の実絞り状態における画像データを、前記第１の絞り状態の画像データと同時に、前記画像表示手段に表示させる画像表示制御手段とを備えたことを特徴とする撮像装置。
【００６１】
（付記３）
前記第１の実絞り状態における撮影画像と、前記第２の実絞り状態における撮影画像を記録する画像記録手段を備えたことを特徴とする付記２に記載の撮像装置。
＜２．付記の説明＞
付記１に記載の発明は、撮像光学系と撮像素子との間に配置された可動の反射ミラーを有し、反射ミラーによって反射された光を観察する観察光学系を備えた撮像装置であって、反射ミラーを駆動する反射ミラー駆動手段と、撮像光学系を通った光を反射ミラーで反射して、観察光学系に導くように、反射ミラーを第１の状態へ駆動して撮影を行う第１の撮影モードと、撮像光学系を通った光を撮像素子へ導くように、反射ミラーを第２の状態へ駆動して撮影を行う第２の撮影モードと、撮影画像に対するゲインを変更する画像処理手段と、撮影画像を表示する画像表示手段と、操作されることにより、撮影光学系が実絞り状態へと制御され、第２の撮影モードへ移行すると共に、撮影画像が画像処理手段によりゲインを大きくされた状態にて、表示手段に表示されるプレビュー操作手段とを備えたことを特徴とする撮像装置である。
【００６２】
付記２に記載の発明は、反射ミラーを駆動する反射ミラー駆動手段と、撮像光学系を通った光を反射ミラーで反射して、観察光学系に導くように、反射ミラーを第１の状態へ駆動して撮影を行う第１の撮影モードと、撮像光学系を通った光を撮像素子へ導くように、反射ミラーを第２の状態へ駆動して撮影を行う第２の撮影モードと、撮影画像に対するゲインを変更する画像処理手段と、撮影画像を表示する画像表示手段と、操作されることにより、撮影光学系が第１の絞り状態へと制御され、第２の撮影モードへ移行すると共に、撮影画像が画像処理手段によりゲインを大きくされた状態にて、表示手段に表示されるプレビュー操作手段と、光学系の絞り値を変更する絞り変更手段と、プレビュー操作手段が操作された状態にて、絞り変更手段を操作することにより第１の実絞り状態とは異なる第２の実絞り状態における画像データを、第１の絞り状態の画像データと同時に、画像表示手段に表示させる画像表示制御手段とを備えたことを特徴とする撮像装置である。
【００６３】
付記３に記載の発明は、第１の実絞り状態における撮影画像と、第２の実絞り状態における撮影画像を記録する画像記録手段を備えたことを特徴とする撮像装置である。
【産業上の利用可能性】
【００６４】
本発明に係るカメラシステムでは、異なる絞り値の画像であってもほぼ同じ明るさに表示することができる。このため、絞り値変更機能を有するデジタルカメラの分野で有用である。
【符号の説明】
【００６５】
Ｌ  撮像光学系
Ｄｆ  焦点ずれ量
Ｘ  光路
１  カメラ本体
２  交換レンズユニット
４  クイックリターンミラー
９  ファインダ接眼窓
１０  シャッターユニット
１１  撮像センサ（撮像部）
１２  ボディーマイコン
１４  シャッター制御部
１５  画像表示制御部
１６  液晶モニタ（表示部）
１８  画像記録部
２０  レンズマイコン
２１  レンズマウント
２３  ボディーマウント
２５  フォーカスレンズ群
２７  絞り制御部
２８  絞りユニット
２８ｂ  絞り駆動モータ
２９  絞り調節部
３０  レリーズボタン
３１  シャッタースピード設定ダイヤル
３３  指標
３８  ズームリング
３９  フォーカスリング
４０  絞りリング（絞り値設定部）
４１  絞りリニアセンサ
４３  クイックリターンミラー制御部
４４  クイックリターンミラー駆動モータ
５１  アナログ信号処理部
５９  ＡＧＣ部（画像調節部）
６２  ズーム制御部
６５  フォーカス駆動モータ
６９  交換レンズ内メモリ
７１  撮影／再生モード切り替えレバー
７２  ＭＥＮＵボタン
７５  撮影モード切り替えボタン
７６  絞り込みモードボタン
【図１】
0005236467.tif 000002
【図２】
0005236467.tif 000003
【図３】
0005236467.tif 000004
【図４】
0005236467.tif 000005
【図５】
0005236467.tif 000006
【図６】
0005236467.tif 000007
【図７】
0005236467.tif 000008
【図８】
0005236467.tif 000009
【図９】
0005236467.tif 000010
【図１０】
0005236467.tif 000011
【図１１】
0005236467.tif 000012
【図１２】
0005236467.tif 000013
【図１３】
0005236467.tif 000014
【図１４】
0005236467.tif 000015
【図１５】
0005236467.tif 000016
【図１６】
0005236467.tif 000017
【図１７】
0005236467.tif 000018